(57)【特許請求の範囲】
【請求項１】
１又は複数の遊技機により構成された複数の遊技機群と、遊技者が通行する通路と、義務非常灯を有した遊技場の避難設備において、
遊技機群は、遊技機の設置位置より低い位置の壁面を形成する腰板を有し、
商用電源からの電力供給が停止された際に、外付け又は内蔵された専用電源から供給される電力によって照明機能を果たす非常灯装置を有し、
少なくとも１つの遊技機群に、非常灯装置が設置される設置部が前記腰板の位置に設けられ、
設置部に設置された非常灯装置は、通路の床面近傍に光軸が通過するような配置であり、
商用電源からの電力供給が停止された際に、前記義務非常灯による照明に加えて、前記非常灯装置が前記床面近傍に向けて照らすことを特徴とする遊技場の避難用設備。
【請求項２】
前記遊技機群は、前記遊技機に対向する位置に遊技者が着座可能な椅子が配されており、
前記設置部は、遊技機群の内外を連通した腰板に形成された開口部を有し、
前記開口部は、前記椅子の位置を避けるような位置に配されており、
前記非常灯装置は、前記開口部に配されていることを特徴とする請求項１に記載の遊技場の避難用設備。
【請求項３】
遊技者が通行する通路は、２以上の遊技機群あるいは１以上の遊技機群と遊技場を形成するいずれかの壁面によって形成されており、
いずれの通路においても少なくとも１つの遊技機群に設置部が設けられていることを特徴とする請求項１又は２に記載の遊技場の避難用設備。
【発明の詳細な説明】
【技術分野】
【０００１】
本発明は、遊技場における避難用設備に関するものであり、特に遊技場から避難するための通路の状況を認識可能な避難用設備に関する。
【背景技術】
【０００２】
百貨店や遊技場等の特殊建築物においては、地震や雷等の天災やその他の災害等に起因した停電の際に、避難経路が確保できるように、誘導灯（消防法）や非常灯（建築基準法）の設置が義務づけられている。
【０００３】
この誘導灯や非常灯は、通常、建物の構造体（間仕切り壁を含む壁面や天井等）に設置されるものであり、特に、非常灯に関しては、建築基準法により、停電時の床面近傍において１ルクス以上の照度を保たなければならないとされている。
例えば、この種の非常灯の技術が特許文献１に開示されている。
なお、特許文献１の非常灯は、非常時などにおいて、電力供給が停止した際に、具備された蓄電池により点灯動作が実行される構成とされている。
【０００４】
ところで、遊技場においては、ホールスタッフの作業性や「ゴト行為」等の防犯上の観点から、空間を仕切る間仕切り壁が殆ど形成されておらず、そのような空間内に複数のパチンコ機やスロット機が群を成した遊技島が複数形成されている。そして、この種の遊技場においては、遊技島同士が所定の間隔を空けて配置されており、その間隔をホールスタッフや遊技者等が通行する通路として利用している。
そのため、遊技場で不測の事態により停電が生じた場合は、遊技島同士あるいは遊技島と遊技場を形成する壁面の間に形成された通路（以下、単に通路とも言う）が避難経路として利用され、遊技者等はその避難経路を通じて場外に避難する。
【先行技術文献】
【特許文献】
【０００５】
【特許文献１】特開平５−１５２０８０号公報
【発明の概要】
【発明が解決しようとする課題】
【０００６】
しかしながら、現状の遊技場においては、設置された非常灯が建築基準法による基準を満たしていても、前記した通路が安全に避難できる避難経路として機能し得ない場合があった。
【０００７】
即ち、遊技場では、パチンコ機やスロット機において大当たりが当選して、遊技球（以下、単に玉と言う）や遊技メダル（以下、単にメダルと言う）が所定数排出されると、遊技機における受け皿から溢れた玉やメダルが貯留箱に貯留され、その貯留箱は通路上に並べられて遊技場における出玉（又は出メダル）演出の一貫とされる。
なお、このような風景は、遊技場の通常の風景であって、遊技者等の気持ちを高揚させる等のための営業手法の一種である。
【０００８】
そのため、遊技場においては、たとえ一般照明による明かりが充実して、通路の状況を把握し易い状況であったとしても、通路に貯留箱が並べられていれば、貯留箱を避けながら通行しなければならないため、通路を通過し終えるには、若干の時間を要する。ましてや、不測の事態で停電が生じた場合であれば、非常灯が点灯したとしても、足元を照らす照度が一般照明の場合より低くなるため、通路の状況判断に時間が掛かり、避難に要する時間が過度に増加してしまう懸念がある。
【０００９】
また、避難者によっては、大きな不安から通路の状況判断が行えなくなって、パニック状態に陥る場合があり、その場合、通路に並べられた貯留箱を転倒させて玉をまき散らし、避難に要する時間をさらに増加させてしまう懸念がある。さらにこの場合においては、通路にまき散らした玉によって、後続の避難者までも巻き込んでしまい、最悪の場合、後続の避難者が命を落としてしまう場合が考えられる。このように、遊技場においては、不測の事態で停電となれば、避難経路の足元側の照度が低い上、貯留箱及びその貯留箱に貯留された玉やメダルが避難経路の障害物となり得るため、遊技者等は安全に避難することが困難な場合があった。
【００１０】
そこで、本発明では、従来技術の問題に鑑み、停電時における遊技場の避難経路の照度を高めることで、迅速且つ安全な避難経路を確保することができる遊技場の避難用設備を提供することを目的とする。
【課題を解決するための手段】
【００１１】
上記課題を解決するため、請求項１に記載の発明は、１又は複数の遊技機により構成された複数の遊技機群と、遊技者が通行する通路と、義務非常灯を有した遊技場の避難設備において、遊技機群は、遊技機の設置位置より低い位置の壁面を形成する腰板を有し、商用電源からの電力供給が停止された際に、外付け又は内蔵された専用電源から供給される電力によって照明機能を果たす非常灯装置を有し、少なくとも１つの遊技機群に、非常灯装置が設置される設置部が前記腰板の位置に設けられ、設置部に設置された非常灯装置は、通路の床面近傍に光軸が通過するような配置であり、商用電源からの電力供給が停止された際に、前記義務非常灯による照明に加えて、前記非常灯装置が前記床面近傍に向けて照らすことを特徴とする遊技場の避難用設備である。
すなわち、請求項１に記載の発明は、遊技場は、１又は複数の遊技機により構成された複数の遊技機群と、遊技者が通行する通路と、商用電源からの電力供給が停止された際に、外付け又は内蔵された専用電源から供給される電力によって照明機能を果たす非常灯装置を有し、少なくとも１つの遊技機群に、非常灯装置が設置される設置部が設けられ、設置部に設置された非常灯装置は、通路の床面近傍に光軸が通過するような配置であることを特徴とする。
【００１２】
ここで、先にも説明したが、遊技場等の特殊建築物においては、建築基準法に基づいて非常灯の設置が義務づけられており（以下、義務非常灯と言う）、その義務非常灯は通常、構造体（壁面や天井等）に設けられているが、遊技場においては建築基準法を満たしている場合であっても、避難経路の照度が不十分と感じる場合があり、迅速且つ安全に避難させることが困難な場合があった。
そこで、本発明の遊技場の避難用設備は、遊技場を構成する少なくとも１つの遊技機群に専用電源を備えた非常灯装置を設ける構成とした。これにより、非常灯装置を備えた遊技機群によって形成された通路を、停電時においては、義務非常灯に加えて、非常灯装置によっても照らすことができるため、停電時における照明効果を高めることができる。また、非常灯装置の光軸が遊技場の床面近傍を通過するように配されているため、通路の床面の状況が容易に認識できる。即ち、停電時において、避難経路の床面の照度を確実に高めることができるため、避難時の安全性を向上させることができる。
従って、本発明は、不測の事態で停電が発生した際に、通路の床面の照度を向上させることができるため、避難経路における障害物の有無などの状況判断がし易くなり、迅速且つ安全な避難を行うことを可能とする。
【００１３】
請求項１に記載の発明は、遊技機群は、遊技機の設置位置より低い位置の壁面を形成する腰板を有し、腰板の位置に設置部が設けられていることを特徴とする。
【００１４】
かかる構成によれば、遊技機群を構成する遊技機の設置位置より低位置の腰板の位置に非常灯装置が配されているため、天井や他の壁面等の高位置に配する場合より、光の拡散量が少なくなる。即ち、光源の輝度がほぼ同一であっても、床面に至るまでに拡散される光量が減じるため、床面近傍の照度を高めることができる。
【００１５】
請求項２に記載の発明は、前記遊技機群は、前記遊技機に対向する位置に遊技者が着座可能な椅子が配されており、前記設置部は、遊技機群の内外を連通した腰板に形成された開口部を有し、前記開口部は、前記椅子の位置を避けるような位置に配されており、前記非常灯装置は、前記開口部に配されていることを特徴とする請求項１に記載の遊技場の避難用設備である。
【００１６】
請求項３に記載の発明は、遊技者が通行する通路は、２以上の遊技機群あるいは１以上の遊技機群と遊技場を形成するいずれかの壁面によって形成されており、いずれの通路においても少なくとも１つの遊技機群に設置部が設けられていることを特徴とする請求項１又は２に記載の遊技場の避難用設備である。
【００１７】
かかる構成によれば、遊技場のいずれの通路においても少なくとも１つの遊技機群があり、その通路における少なくとも１つの遊技機群に非常灯装置が配されているため、停電時においては、いずれの通路であっても非常灯装置によって、床面における状況判断がし得る程度の照度が確保される。即ち、本発明によれば、遊技場において遊技者が密集した状況であっても、各通路が状況判断し得る程度の照度を確保した避難経路として機能するため、遊技者を各通路に分散させて迅速且つ安全に避難させることができる。これにより、本発明によれば、不測の事態で停電が発生した際に、遊技者をより迅速且つより安全に避難させることができる。
【発明の効果】
【００１８】
本発明の遊技場の避難用設備は、建築基準法に基づいて設置された義務非常灯に加えて、遊技場における遊技者が通行する通路であって少なくとも１つの遊技機群に非常灯装置が設けられており、商用電源からの電力供給が停止された際に、義務非常灯による照明に加えて、非常灯装置が通路の床面近傍に向けて照射するため、停電時において迅速且つ安全に避難できる避難経路を確保することができる。
【図面の簡単な説明】
【００１９】
【図１】本実施形態に係る遊技場の避難用設備が備えられる遊技場を示す平面図である。
【図２】図１の遊技場に設置された遊技島を示すＡ方向矢視図である。
【図３】図２の遊技島の主に要部を断面にしたＢ−Ｂ断面図である。
【図４】図１の遊技島のＣ方向矢視図であって、一部を断面にした図である。
【図５】図２の遊技島のＤ方向矢視図である。
【図６】非常灯装置の分解斜視図である。
【図７】非常灯装置における蓄電部と他の関連する部位の関係を示すブロック図である。
【発明を実施するための形態】
【００２０】
以下に、本実施形態に係る遊技場の避難用設備について説明する。
本実施形態の遊技場の避難用設備は、パチンコ機やスロット機等の遊技機３０を１つの群とした所謂遊技島３１に形成した構成である。そこで、以下の説明においては、理解を容易にするために、１つの遊技島３１に注目して説明する。
【００２１】
遊技島３１においては、図２に示すように、所定台数分の遊技機取付部３２が設けられており、その各遊技機取付部３２に１台ずつ遊技機３０が設置されている。具体的には、本実施形態における遊技島３１では、各列（図１の正面に１列と背面（図示しない）に１列）に５台ずつの遊技機３０が並設されている。そして、図１、２に示すように、各遊技機３０に対向する位置に遊技者が着座可能な椅子３９が１脚ずつ配置されている。
【００２２】
なお、遊技島３１の内部においては、柱や梁などの構造体の他、各遊技機３０に遊技媒体（玉やメダル）を搬送する遊技媒体搬送装置（図示しない）、各遊技機３０から回収された遊技媒体が一時的に貯留される貯留タンク（図示しない）、回収された遊技媒体の汚れを除去し磨く遊技媒体研磨装置（図示しない）等の遊技機３０を動作させる際に関連する機器が配されているが、本発明においては特に関係がないため説明を省略する。
【００２３】
また、遊技島３１の外部においては、内部構造を目隠しするように、外壁として化粧板等が設けられている。具体的には、化粧板は遊技機取付部３２を除く箇所に設けられており、図３に示すように、遊技場の天井側から、天板３４、幕板３５、ランプ板３６、腰板３３、幅木３７とされている。
【００２４】
ところで、従来の遊技場では、先にも説明したように、不測の事態で停電が発生した場合、建築基準法に基づいて設置された非常灯（以下、義務非常灯と称す）や消防法に基づいて設置された誘導灯が、遊技場から場外に避難するための照明機能や案内機能として機能するシステムが備えられている。
【００２５】
しかしながら、遊技場において、建築基準法を満たすように義務非常灯が設けられたとしても、停電時における最低限の照明が確保されるだけであるため、迅速且つ安全に避難できない問題があった。即ち、停電時に義務非常灯の明かりだけで避難しようとした場合、避難者は通路があるということは認識できるが、その通路（例えば、対向する遊技島同士に挟まれた通路）における障害物（例えば、玉やメダルが貯留される貯留容器）の有無などの状況を把握できる程の照度を確保すことができない場合があり、その場合結果として、通路の状況を把握することなく避難行動が取られてしまう。そのため、図４に示すように、通路上に障害物が存在した場合、避難の際に、その通路を通過するために要する時間が必要以上に掛かり、最悪の場合、避難し遅れて命に危険を及ぼしてしまう場合があった。
【００２６】
そこで、本実施形態においては、図３に示すように、各遊技島３１における２列の腰板３３の位置に設置部５を設け、その設置部５に非常灯装置１を取り付けた構成とされている。
まず、遊技島３１における設置部５について説明する。
設置部５は、図３に示すように、腰板３３の背面側（遊技島３１の内部側）に形成された空間１１と、遊技島３１の内外を連通した腰板３３に形成された開口部１０を有した部分である。本実施形態では、開口部１０は、図３、５に示すように、遊技島３１の各列ごとに６箇所ずつ設けられている。具体的には、各列における開口部１０は、遊技島３１の腰板３３における上下方向（高さ方向）下方（幅木３７寄り）に位置し、それぞれの開口部１０が遊技場に設置された椅子の位置を避けるような位置に配されている。即ち、遊技島３１における並設された遊技機３０を正面視すれば、各開口部１０は椅子３９と重なることがない。また、開口部１０の周囲には、図示しないビス用孔が設けられており、そのビス用孔は非常灯装置１を固定するために使用される。
【００２７】
なお、本実施形態では、開口部１０の大きさが、後述する非常灯装置１の照明部７の大きさを基準として設計されている。即ち、遊技島３１における各開口部１０の大きさは、図５に示すように、椅子３９同士の間に位置するもの（１列に注目すると両側の開口部１０を除いた４箇所の開口部１０ａ）がほぼ同一の大きさに設定されており、その他のもの（両側に位置する２箇所の開口部１０ｂ）がほぼ同一の大きさに設定されている。
【００２８】
続いて、非常灯装置１について具体的に説明する。
非常灯装置１は、公知のそれとほぼ同様であり、図６に示すように、ＬＥＤ（Light Emitting Diode）を備えた照明部６と、照明部６を保持する筐体７と、筐体７に設けられた取付部８と、照明部６と筐体７の間に内蔵されニッケルカドミウム電池を備えた蓄電部９と、照明部６を保護し光を透過する保護板１２により構成されたものである。そして、本実施形態では、非常灯装置１は商用電源と接続される図示しない電源プラグを有し、その電源プラグを介して非常灯装置１に対して商用電源からの電力供給があれば蓄電部９において電力が充電され、非常灯装置１に対する商用電源からの電力供給が停止すれば蓄電部９において電力が放電されて照明部７に電力を供給する構成とされている。
なお、本実施形態では、２種類の大きさの非常灯装置１ａ、１ｂが用意されており、開口部１０ａには非常灯装置１ａが配され、開口部１０ｂには非常灯装置１ｂが配されている。
【００２９】
また、本実施形態における非常灯装置１では、公知の技術である低電圧維持充電方式（トリクル充電方式）により蓄電部９に電力が充電される。
ここで、トリクル充電方式とは、微弱な電流を継続的に与えることによって、電力を蓄える方式であり、さらに蓄電池の満蓄状態を常に維持可能な充電方式である。
より具体的に説明すると、商用電源からの電力供給がある間は、蓄電池と負荷（照明等）との回路が切り離されており、供給される電力は長い時間を掛けて蓄電池に充電される。そして、充電が開始されてから一定期間経過すれば、蓄電池の自己放電分だけを補う充電動作が実行され、蓄電池における電力を常にほぼ満蓄な状態に維持する。一方、停電の際には、蓄電池と負荷との回路が接続されて、蓄電池に充電された電力が負荷側に供給され消費される。
【００３０】
即ち、本実施形態では、図７に示すように、蓄電部９及び照明部６が接続された回路に、変圧器（トランス）４０と、整流器４１と、停電検知リレー４２と、リレースイッチ４３と、可変抵抗器４５とが設けられ、商用電源からの電力供給が維持されている間は、リレースイッチ４３を開状態に維持して蓄電部９の充電状態を維持し、停電検知リレー４２により商用電源からの電力の供給の停止あるいはそれに近い状態が検知された際に、リレースイッチ４３を開状態から閉状態に変更して、蓄電部９を放電状態に切り替える構成とされている。これにより、本実施形態によれば、停電が発生すると、蓄電部９から照明部６に電力が供給されて、照明部６における照明機能を働かせることができる。
【００３１】
次に、遊技島３１における非常灯装置１の位置関係について説明する。
非常灯装置１は、照明部７の光源から照射される光の光軸が、遊技場の床面近傍を通過するように、腰板３３の設置部５に配されている。具体的には、非常灯装置１は、取付部８が腰板３３の開口部１０の周囲に位置するように配されると共に、保護板１２が開口部１０を介して外部に露出した状態にされて、取付部８を介して腰板３３に固定されている。このとき、照明部６の光源は、遊技場の床面に対してほぼ水平あるいは床面に対して交差する方向に向けられている。即ち、設置部５に固定された非常灯装置１は、照明部６から発せられる光を、腰板３３の開口部１０から遊技場の床面近傍を照らすように配されている。
【００３２】
以上のように、本実施形態の遊技場の避難用設備によれば、遊技者等が通行する通路を形成する遊技島３１の腰板３３に設置部５を設け、その設置部５に非常灯装置１を固定したため、通路の床面近傍を明るく照らすことができる。これにより、不測の事態で停電が生じた場合に、建築基準法に基づいて設置された義務非常灯の照明に加えて、遊技場の床面近傍を照射する非常灯装置１による照明効果が期待できるため、通路の状況を容易に認識することが可能となる。即ち、本実施形態では、停電の状況で避難する場合に、通路に並べられた貯留容器等の障害物の存在の有無を認識させることができるため、図４に示すように、通路上に障害物が存在した場合であっても、遊技者等が迅速且つ安全に避難することを可能とする。
また、結果として、避難者が玉やメダルが貯留された貯留容器を転倒させる可能性が低下し、先行の避難者の不備が後続の避難者の避難行動を妨げるようなことが防止されるため、後続の避難者に対しても、迅速且つ安全に避難できる避難環境を提供することが可能となる。
【００３３】
上記実施形態では、遊技場における全ての遊技島３１に非常灯装置１を取り付けた構成を示したが、遊技場における一部の遊技島３１に非常灯装置１を取り付けた構成であっても構わない。即ち、遊技場の出入り口に繋がる少なくとも１つの遊技島３１に非常灯装置１を取り付ける構成や、通路が２つ以上の遊技島３１が向かい合って形成されている場合には、その向かい合った遊技島３１のうちの少なくとも１つの遊技島３１に非常灯装置１を取り付ける構成であっても構わない。
【００３４】
上記実施形態では、蓄電部９を非常灯装置１に内蔵した構成を示したが、本発明はこれに限定されず、蓄電部９を非常灯装置１の外部に配して外付け方式にした構成であっても構わない。これによれば、１つの蓄電部９を複数の照明部６に対して接続することができるため、製造コストを減縮することができる。なお、１つの蓄電部を複数の照明部に接続する場合は、蓄電部の蓄電容量を上記実施形態に示すよりも増幅しておくことが望ましい。
また、本発明では、専用電源としてニッケルカドミウム電池を備えた蓄電部９を備えた構成を示したが、専用電源として図示しない発電装置を設け、その発電装置と照明部６を接続して、停電時に前記発電装置から照明部６に対して電力供給を行う構成であっても構わない。
【００３５】
上記実施形態では、腰板３３に非常灯装置１を取り付けた構成を示したが、本発明はこれに限定されず、例えば、上記実施形態に加えて又は替えて、遊技島３１の長手方向端部における妻板（図２）３８や、腰板３３より低位置にある幅木３７あるいは逆に腰板３３より高位置にある幕板３５等に非常灯装置１を取り付ける構成であっても構わない。なお、その場合であっても、遊技場の床面近傍に照明部の光軸が通過する必要がある。
【００３６】
上記実施形態では、非常灯装置１を遊技島３１の内部に配置させて固定し、腰板３３に設けた開口部１０を介して外部に照射する構成としたが、本発明はこれに限定されず、腰板３３に開口部１０を設けることなく、腰板３３の外部に設置部を設け、その設置部に非常灯装置１を配置させて固定し、床面近傍に対して照射する構成であっても構わない。
また、上記したように、遊技島３１の各列に複数の非常灯装置１を取り付ける構成ではなく、例えば、遊技島３１の遊技機３０の並設方向に沿って形成された帯状の非常灯装置を各列に１つずつ取り付ける構成であっても構わない。
【００３７】
上記実施形態では、遊技島３１が複数の遊技機３０が設置されて形成された構成を示したが、本発明ではこれに限定されず、遊技島は１つの遊技機３０により形成されても構わない。
【符号の説明】
【００３８】
１    非常灯装置
５    設置部
８    蓄電部（専用電源）
３０    遊技機
３１    遊技島（遊技機群）
３３    腰板
【図１】
0005748459.tif 000002
【図２】
0005748459.tif 000003
【図３】
0005748459.tif 000004
【図４】
0005748459.tif 000005
【図５】
0005748459.tif 000006
【図６】
0005748459.tif 000007
【図７】
0005748459.tif 000008